(57)【要約】【課題】  手動によるアライメント時における粗動動作と微動動作を好適に行うことのできる眼科装置を提供する。【解決手段】  被検眼の測定または検査を行うための光学系を有する検眼部を基台に対して水平方向に移動させる眼科装置において、基台に対して摺動可能に置かれ検眼部を載置する移動部と、移動部に設けられ移動部とともに検査部を水平方向に移動させるための操作杆と、操作杆下部の軸周りに設けられ操作杆を持つ手の指を掛けるための指掛部と、を備える。【選択図】      図４
2006305071.tif 000002
【特許請求の範囲】
【請求項１】
被検眼の測定または検査を行うための光学系を有する検眼部を基台に対して水平方向に移動させる眼科装置において、前記基台に対して摺動可能に置かれ前記検眼部を載置する移動部と、該移動部に設けられ移動部とともに前記検査部を水平方向に移動させるための操作杆と、該操作杆下部の軸周りに設けられ前記操作杆を持つ手の指を掛けるための指掛部と、を備えることを特徴とする眼科装置。
【請求項２】
請求項１の眼科装置において、前記指掛部は前記操作杆の軸周りに沿って湾曲していることを特徴とする眼科装置。
【請求項３】
請求項２の眼科装置において、前記指掛部の高さは少なくとも該指掛部に掛ける指の腹の半分以上の領域に当接するだけの高さを有していることを特徴とする眼科装置。
【請求項４】
請求項１〜３の眼科装置において、さらに前記移動部には前記操作杆を持つ手の甲の一部分を支持するための支持部を有することを特徴とする眼科装置。
【発明の詳細な説明】
【技術分野】
【０００１】
本発明は、眼屈折力測定装置や眼底カメラ等の被検眼に対して光学系を所定の位置関係に合わせる眼科装置に関する。
【背景技術】
【０００２】
従来、被検眼に対して光学系を所定の位置関係とするために、測定部を水平方向（前後左右方向）に移動させアライメントする眼科装置が知られている。このような眼科装置では、光学系を内蔵する本体部に操作杆（ジョイスティック）を有しており、被検眼に対して光学系をアライメントする際には、操作杆を握った状態でこの操作杆とともに本体部を基台に対して前後左右に移動させる粗動と、操作杆を傾斜させ、その傾斜量により本体部を移動させる微動とを行う（特許文献１参照）。
【特許文献１】特開平５−３１０７２号公報
【発明の開示】
【発明が解決しようとする課題】
【０００３】
このようなアライメント動作において、従来の眼科装置では、粗動の際にはジョイスティックをしっかりと握り、ジョイスティックを傾斜させることなく本体部を任意の方向に移動させ、微動の際にはジョイスティック先端付近を指先で摘み、ジョイスティックを任意の方へ倒すようにしている。しかしながら、このように粗動動作と微動動作によってジョイスティックの持ち方を変えるのは煩わしい。
上記従来技術の問題点に鑑み、手動によるアライメント時における粗動動作と微動動作を好適に行うことのできる眼科装置を提供することを技術課題とする。
【課題を解決するための手段】
【０００４】
上記課題を解決するために、本発明は以下のような構成を備えることを特徴とする。
（１）  被検眼の測定または検査を行うための光学系を有する検眼部を基台に対して水平方向に移動させる眼科装置において、前記基台に対して摺動可能に置かれ前記検眼部を載置する移動部と、該移動部に設けられ移動部とともに前記検査部を水平方向に移動させるための操作杆と、該操作杆下部の軸周りに設けられ前記操作杆を持つ手の指を掛けるための指掛部と、を備えることを特徴とする。
（２）  （１）の眼科装置において、前記指掛部は前記操作杆の軸周りに沿って湾曲していることを特徴とする。
（３）  （２）の眼科装置において、前記指掛部の高さは少なくとも該指掛部に掛ける指の腹の半分以上の領域に当接するだけの高さを有していることを特徴とする。
（４）  （１）〜（３）の眼科装置において、さらに前記移動部には前記操作杆を持つ手の甲の一部分を支持するための支持部を有することを特徴とする。
【発明の効果】
【０００５】
本発明によれば、手動によるアライメント時において操作杆の持ち方を変えることなく粗動動作と微動動作を好適に行うことができる。
【発明を実施するための最良の形態】
【０００６】
以下に、本発明の実施形態を図面に基づいて説明する。図１は本実施形態における眼科装置の概略外観図である。
装置は、基台１と、基台１に取り付けられた顔支持ユニット２と、基台１上に水平方向に移動可能に設けられた移動台３と、移動台３に移動可能に載置され、被検眼を撮影や測定を行うための光学系を収納する検査部４を備える。
【０００７】
また、検査部４は、移動台３内部に設けられたＸＹＺ駆動部６により、被検眼Ｅに対して左右方向（Ｘ方向）、上下方向（Ｙ方向）及び前後方向（Ｚ方向）に移動される。ＸＹＺ駆動部６は、Ｘ，Ｙ，Ｚの方向毎に設けられたスライド機構、モータ等から構成される。移動台３は、操作杆であるジョイスティック５の操作により、基台１上を水平方向（ＸＺ方向）に粗動移動され、回転ノブ５ａを回転操作することにより、ＸＹＺ駆動部６のＹ駆動によりＹ方向に移動される。また、ジョイスティック５を傾斜させることにより、移動台３を微動させることができる。また、移動台３には被検眼Ｅの観察像や測定結果等の各種の情報を表示するモニタ７、各種設定を行うためのスイッチが配置されたスイッチ部８が設けられている。
【０００８】
図２は移動台３の粗動機構を示した概略構成図であり、図３はジョイスティック５による移動台３の微動機構を示した概略構成図である。なお、図２及び図３において、移動に必要な構成部品以外の部品は省略している。図２に示すように、車輪１０は車軸１１を支承して、軌条１２上を転動し、前後方向に移動する。車軸１１はベアリング１３を介して移動台３に接合される案内管１４を軸方向に移動可能に保持し、案内管１４は車軸１１の軸方向に移動する。このような機構によって移動台３は前後左右方向（水平方向）に移動可能とされる。また、図３に示すように、ジョイスティック（操作杆）５の下方には、球面部２０及び略球状の第２球面部２１が設けられている。２２は基台１上に貼付された摩擦板、２３は移動台３に固定されたハウジング、２４は摩擦板２２上に置かれる摺動板である。ハウジング２３の内部には、球面部２０が回転自在に保持され、第２球面部２１は摺動板２４に回転可能に保持されている。このような機構によって、移動台３はジョイスティック５の傾斜量に応じて水平方向に微動可能とされる。
【０００９】
図４は、本実施形態における眼科装置に設けられたジョイスティック５周辺の構成を示した図、図５はジョイスティック５周辺の構成を側方から見たときの図である。３０はジョイスティック５を持つ操作者の手の指を掛けるための指掛部である。図示するように、指掛部３０はジョイスティック５下部の軸周りの移動台３上にあって、ジョイスティック５に対して奥側（被検者側）に設けられている。また、指掛部３０は、ジョイスティック５を持つ手の小指を掛けることができるように、ジョイスティック５付近における移動台３の上面３ａよりも所定量高い凸形状を有している。また、図４に示すように、指を若干折り曲げた状態で指の腹全体が指掛部３０の側面に当接するように、指掛部３０はジョイスティック５の軸周りに沿ってカーブを形成（湾曲）している。また、図５に示すように指掛部３０に掛ける小指部分を点線で表した場合、指掛部３０の高さは、少なくとも該指掛部に掛ける指の腹の半分以上の領域に当接するだけの高さを有していることが好ましい。
【００１０】
以上のような構成を備える眼科装置において、その動作を以下に説明する。
図１に示すように、被検者の顔を顔支持ユニット２に載せ、保持させた後、操作者は検査部４を被検眼に対して所定の位置関係にアライメントするために、ジョイスティック５を持ち移動部３を移動させる。ジョイスティック５の保持方法としては、例えば、図４に示した指掛部３０へ小指を掛けるとともに、ジョイスティック5先端部付近を親指と人差し指で摘むようにする。移動台３を手前方向（検者側方向）及び左右方向に移動（粗動）させる際には、指掛部３０を小指に掛けた状態にて移動させたい方向に腕全体の力を加えることにより、移動台３をその移動方向に押すことができる。また移動台を前進（粗動）させる場合には、移動台３に当接する手のひらの一部分を用いて移動台３を進行方向に押すようにすればよい。また、移動台３の微動は従来通り、ジョイスティック５を所定量傾斜させればよい。このような動作によってジョイスティック５を持つ手の位置を変えないまま（握り直すことなく）、移動台３の粗動、微動を効率よく行うことができる。
【００１１】
以上の実施形態においては、操作杆を持ちながら指を掛けるための指掛部のみを移動台上に設けるものとしているが、これに限るものではなく、ジョイスティックを持つ手の水平方向の動きを効率よく移動台３に伝えることができればよい。例えば、図６に示すように、前述同様ジョイスティック５下部の軸周りに指掛部３０を設けるとともに、ジョイスティック５を持つ手の甲の一部を支持するための甲支持部４０を移動台３上に設けることもできる（図では右手用のみとしている）。甲支持部４０は、ジョイスティック５を持つ手の甲側を当接させることが可能な位置（移動台３の上面３ａ）に取り付けられ、移動させる際の移動台３に対する操作する手のずれを抑制する役目を果たす。このような甲支持部４０をジョイスティック５の両側に設けることにより、さらに粗動動作と微動動作とを好適に行うことができる。さらにまた、図６において甲支持部４０とジョイステッィク５との間の上面３ａには、例えば凸及び／又は凹形状からなる滑り止め部を設けるようにすることもできる。
【図面の簡単な説明】
【００１２】
【図１】本実施形態における眼科装置の概略構成を示した図である。
【図２】本実施形態における眼科装置の粗動機構を示した図である。
【図３】ジョイスティックを用いた微動機構を示した図である。
【図４】ジョイスティック周辺の構成を示した図である。
【図５】ジョイスティック周辺を側方から見た状態を示した図である。
【図６】本実施形態の変容例を示した図である。
【符号の説明】
【００１３】
１  基台
３  移動台
５  ジョイスティック
１０  車輪
１１  車軸
１２  軌条
１４  案内管
２０  球面部
２１  第２球面部
２３  ハウジング
２４  摺動板
３０  指掛部
【図１】
2006305071.tif 000003
【図２】
2006305071.tif 000004
【図３】
2006305071.tif 000005
【図４】
2006305071.tif 000006
【図５】
2006305071.tif 000007
【図６】
2006305071.tif 000008